(57)【要約】【課題】極めて容易に且つ短時間で装着可能な靴バンドを提供する。【解決手段】靴バンド１は、一部又は全体が伸縮自在に構成されたバンド本体１０と、バンド本体１０の両端を連結する連結部２０とを備え、連結部２０は、バンド本体１０の一端に設けられた係止部２１と、他端に設けられた被係止部２７とから構成される。係止部２１は、バンド本体１０の一端が取り付けられる一端取付部２５と、長手方向がバンド本体１０の幅方向に沿うように且つ一端取付部２５と間隔を隔てるように設けられる棒状の係止片２２と、一端取付部２５と係止片２２との間に設けられて両者を接続する接続部２４とを有する。被係止部２７は、バンド本体１０の端部を折り返してバンド本体１０に止着することで形成されており、折り返しによって形成された、バンド本体１０の幅方向両側に開口する中空部が、係止片２２が挿入される被係止孔２８となっている。【選択図】図１
0003163096.tif 000002
【実用新案登録請求の範囲】
【請求項１】
靴を履いた状態で、足の甲及び靴の土踏まず部分を緊締する環状のバンドであって、一部又は全体が伸縮自在に構成されたバンド本体と、該バンド本体の両端を連結する連結手段とを備えた靴バンドにおいて、
前記連結手段は、前記バンド本体の一端に設けられた係止部と、前記バンド本体の他端に設けられた被係止部とからなり、
前記係止部は、前記バンド本体の一端が取り付けられる一端取付部と、長手方向が前記バンド本体の幅方向に沿った棒状の係止片と、前記一端取付部と係止片とを接続する接続部とを有し、
前記被係止部は、軸線が前記バンド本体の幅方向に沿った被係止孔を有しており、
前記係止片を前記被係止孔内に挿入することにより、前記バンド本体の両端が連結され、該バンド本体が環状に形成されることを特徴とする靴バンド。
【請求項２】
前記被係止部は、前記バンド本体の他端を前記一端側に折り返し、折り返した該他端をバンド本体の中間部に止着することによって形成されることを特徴とする請求項１記載の靴バンド。
【請求項３】
前記係止片は、その挿入側先端部に、前記一端取付部側に屈曲した突起部を備えていることを特徴とする請求項１又は２記載の靴バンド。
【請求項４】
前記係止部の接続部は、帯状の形状を有し、且つ前記係止片の中間位置に接続されてなり、
前記被係止部は、
前記バンド本体の他端が取り付けられる他端取付部と、
前記他端取付部に接続される筒状の部材であって、軸線が前記バンド本体の幅方向に沿った前記被係止孔を有する被係止筒部とから構成され、
前記被係止筒部は、更に、
前記被係止孔の軸線と平行に設けられたスリット状の溝であって、前記被係止筒部の外周面、前記被係止孔の内周面及び前記被係止孔が開口する前記被係止筒部端面に開口するスリット溝と、
該スリット溝と直交する溝であって、前記被係止筒部の前記軸線方向中間部の外周面、前記スリット溝及び前記被係止孔の内周面に開口する係合溝とを備えてなり、
前記スリット溝は、前記接続部を挿通可能な溝幅を有し、
前記係合溝は、前記接続部を嵌入可能な溝幅を有しており、
前記係止部の係止片を被係止孔に挿入するとともに、前記接続部をスリット溝に挿通させ、ついで、該係止部を前記係止片を中心にその軸線回りに回転させて前記接続部を係合溝に嵌入することで、前記係止部と被係止部とが連結されるように構成されていることを特徴とする請求項１記載の靴バンド。
【請求項５】
前記バンド本体の長さを調整する長さ調整手段を更に備えていることを特徴とする請求項１乃至４記載のいずれかの靴バンド。
【請求項６】
前記バンド本体に着脱自在に装着された装飾体を更に備え、前記装飾体には該装飾体を前記バンド本体に着脱自在に装着するための装着具が設けられていることを特徴とする請求項１乃至５記載のいずれかの靴バンド。
【考案の詳細な説明】
【技術分野】
【０００１】
本考案は、例えば、パンプスやミュール、サンダルといった靴を履く際に使用され、履いた靴の土踏まず部分と足の甲部分とに巻いて足に靴を固定する靴バンドに関する。
【背景技術】
【０００２】
特に女性向けの靴には、前記パンプス，ミュール及びサンダルなどのように脱げ易いものがあり、このような靴を履いたときには、靴が足にしっかりと固定され難いため、歩行する際に踵が靴から浮き上がって非常に歩き難いという問題を生じる。
【０００３】
このため、従来から、例えば、特許文献１に開示されたような、伸縮性を有する環状のバンドから構成された靴着用補助具が知られている。この靴着用補助具によれば、バンドが伸ばされて径が大きくされ、このバンド内部に靴の先が通された後、足の甲部分及び靴の土踏まず部分に巻かれることで、靴が足に固定される。
【０００４】
しかしながら、環状に形成された前記靴着用補助具では、伸ばして径を大きくしたバンド内部に靴の先を通して装着しなければならないため、靴を通す際にバンドが靴底と接触して汚損され易いという問題や、靴を通し難い場合があるという問題があった。
【０００５】
そこで、このような問題を解消可能なものとして、従来、例えば、特許文献２に開示されたシューズバンドが提案されている。このシューズバンドは、一部が伸縮性を有する材料から構成されたバンド部と、前記バンド部の一端に設けられ、係止ピン及び挿通枠部からなるバックルと、前記バンド部の他端側に表裏に貫通して形成され、前記係止ピンが挿入される複数の係止穴とを備えている。尚、前記挿通枠部には前記バンド部の他端側が挿通されるようになっている。
【０００６】
そして、このシューズバンドによれば、バックルが足の甲側にくるように配置され、バンド部の中間部が土踏まず部分の靴底に当接するように配置された後、バックルによってバンド部の両端が連結され、足の甲部分と靴の土踏まず部分とに巻かれることで、靴が足に固定される。
【先行技術文献】
【特許文献】
【０００７】
【特許文献１】実用新案登録第３１４１８２６号公報
【特許文献２】実用新案登録第３１５２７７２号公報
【考案の概要】
【考案が解決しようとする課題】
【０００８】
ところが、上記従来のシューズバンドでは、バックルの挿通枠部にバンド部の他端を挿通し、この挿通枠部で折り返されるようにバンド部の他端を挿通方向と反対側に引っ張ってシューズバンドの径を小さくした後、係止穴の１つに係止ピンを挿入しなければならないため、装着までに必要な手順が多く、非常に煩わしいし、短時間で装着することができない。尚、このような問題は、特に、頻繁に靴を履いたり、脱いだりする人にとって重要なことである。
【０００９】
本考案は、以上の実情に鑑みなされたものであって、極めて容易に且つ短時間で装着することができる靴バンドの提供をその目的とする。
【課題を解決するための手段】
【００１０】
上記目的を達成するための本考案は、
靴を履いた状態で、足の甲及び靴の土踏まず部分を緊締する環状のバンドであって、一部又は全体が伸縮自在に構成されたバンド本体と、該バンド本体の両端を連結する連結手段とを備えた靴バンドにおいて、
前記連結手段は、前記バンド本体の一端に設けられた係止部と、前記バンド本体の他端に設けられた被係止部とからなり、
前記係止部は、前記バンド本体の一端が取り付けられる一端取付部と、長手方向が前記バンド本体の幅方向に沿った棒状の係止片と、前記一端取付部と係止片とを接続する接続部とを有し、
前記被係止部は、軸線が前記バンド本体の幅方向に沿った被係止孔を有しており、
前記係止片を前記被係止孔内に挿入することにより、前記バンド本体の両端が連結され、該バンド本体が環状に形成されることを特徴とする靴バンドに係る。
【００１１】
この靴バンドによれば、バンド本体の一端に設けられた係止部と、バンド本体の他端に設けられた被係止部とが足の甲側にくるように、バンド本体の中間部が土踏まず部分の靴底に当接するように配置した後、係止片を被係止孔内に挿入してバンド本体の両端を連結する。これにより、当該靴バンドが足の甲部分と靴の土踏まず部分とに巻かれ、靴が足に固定される。
【００１２】
このように、この靴バンドでは、係止片を被係止孔内に挿入するだけでバンド本体の両端を連結することができるので、当該靴バンドを極めて容易に且つ短時間で装着することができる。
【００１３】
尚、前記被係止部は、前記バンド本体の他端を前記一端側に折り返し、折り返した該他端をバンド本体の中間部に止着することによって形成されていても良い。この場合、バンド本体の他端を折り返すことによって形成される中空部が前記被係止孔となる。また、前記中間部とは、バンド本体の長手方向における真ん中だけを意味するのではなく、バンド本体の一端と他端の間のことを言う。このようにすれば、被係止部（被係止孔）を簡単に形成することができ、また、被係止部として新たに別の部材を採用する必要がなく、この新たな部材の作製にかかる費用や時間を節約することができる。
【００１４】
更に、前記係止片は、その挿入側先端部に、前記一端取付部側に屈曲した突起部を備えていても良い。このようにすれば、係止片の挿入時に、その突起部を、前記被係止孔の、係止片挿入側とは反対側の開口部に係合させることができ、係止片が被係止孔から抜けるのを防止することができる。
【００１５】
また、前記係止部の接続部は、帯状の形状を有し、且つ前記係止片の中間位置に接続されてなり、前記被係止部は、前記バンド本体の他端が取り付けられる他端取付部と、前記他端取付部に接続される筒状の部材であって、軸線が前記バンド本体の幅方向に沿った前記被係止孔を有する被係止筒部とから構成され、前記被係止筒部は、更に、前記被係止孔の軸線と平行に設けられたスリット状の溝であって、前記被係止筒部の外周面、前記被係止孔の内周面及び前記被係止孔が開口する前記被係止筒部端面に開口するスリット溝と、該スリット溝と直交する溝であって、前記被係止筒部の前記軸線方向中間部の外周面、前記スリット溝及び前記被係止孔の内周面に開口する係合溝とを備えてなり、前記スリット溝は、前記接続部を挿通可能な溝幅を有し、前記係合溝は、前記接続部を嵌入可能な溝幅を有しており、前記係止部の係止片を被係止孔に挿入するとともに、前記接続部をスリット溝に挿通させ、ついで、該係止部を前記係止片を中心にその軸線回りに回転させて前記接続部を係合溝に嵌入することで、前記係止部と被係止部とが連結されるように構成されていても良い。
【００１６】
このようにすれば、係止片を被係止孔内に挿入し、接続部をスリット溝に挿通させた際に、接続部を係合溝に嵌入して両者を係合させることができるので、この接続部と係合溝との係合関係によって接続部が係止片の軸線方向に移動するのを規制し、係止片が被係止孔から抜けるのを防止することができる。
【００１７】
また、前記靴バンドは、前記バンド本体の長さを調整する長さ調整手段を更に備えていても良い。長さ調整手段によってバンド本体の長さを調整すれば、誰でも自分に合った径の大きさにして当該靴バンドを使用することができるし、バンド本体の伸縮だけでは対応することができないような厚底の靴のときにも使用可能となる。
【００１８】
また、前記靴バンドは、前記バンド本体に着脱自在に装着された装飾体を更に備え、前記装飾体には該装飾体を前記バンド本体に着脱自在に装着するための装着具が設けられていても良い。装飾体はバンド本体に対し装着具によって着脱自在になっているため、様々な装飾体を自由に取り付けることができる。更に、装飾体とバンド本体との組み合わせによって外観に変化を与えることができるため、使用者が自分好みの組み合わせを選択することで、自分だけの靴バンドを作ることもできる。
【考案の効果】
【００１９】
以上のように、本考案に係る靴バンドによれば、バンド本体の両端を連結するに当たり、係止片を被係止孔内に挿入するだけで良いので、簡単且つ短時間で連結することができる。
【図面の簡単な説明】
【００２０】
【図１】（ａ）は本考案の第１実施形態に係る靴バンドの概略構成を示した正面図であり、（ｂ）は矢視Ａ方向の図である。
【図２】第１実施形態に係る靴バンドの連結手順を示した説明図であって、（ａ）は係止片を被係止孔に挿入した際の図であり、（ｂ）は係止片及び突起部が係合した際の図である。
【図３】第１実施形態に係る靴バンドが連結した際の斜視図である。
【図４】装飾体の概略構成を示した背面図である。
【図５】バンド本体に装着された装飾体を示す背面図である。
【図６】第１実施形態に係る靴バンドの装着例を示した斜視図である。
【図７】本考案の第２実施形態に係る靴バンドの概略構成を示した正面図である。
【図８】（ａ）は第２実施形態に係る靴バンドの係止部の概略構成を示した背面図であり、（ｂ）は矢視Ｆ方向の図である。
【図９】（ａ）は第２実施形態に係る靴バンドの被係止部の概略構成を示した背面図であり、（ｂ）は矢視Ｇ方向の図であり、（ｃ）は矢視Ｈ方向の図であり、（ｄ）は矢視Ｉ−Ｉ方向の断面図である。
【図１０】第２実施形態に係る靴バンドの連結手順を示した説明図であって、（ａ）は係止片を被係止孔に挿入した際の図であり、（ｂ）は矢視Ｊ方向の図であり、（ｃ）は接続部を係合溝に嵌入した際の図であり、（ｄ）は矢視Ｌ方向の図である。
【図１１】第２実施形態に係る靴バンドが連結した際の斜視図である。
【考案を実施するための形態】
【００２１】
以下、本考案の具体的な実施形態について、添付図面に基づき説明する。
【００２２】
（第１実施形態）
図１に示すように、第１実施形態の靴バンド１は、バンド本体１０と、バンド本体１０の両端を連結する連結部２０と、バンド本体１０の長さを調整するための長さ調整具３０と、バンド本体１０に着脱自在に装着される、図４乃至図６に示すような装飾体４０とを備えており、バンド本体１０は、その長手方向に伸縮自在な帯状のゴム製バンドから構成される。尚、前記バンド本体１０には、その表面に色彩や模様が施されていても良い。
【００２３】
前記連結部２０は、バンド本体１０の一端に設けられた係止部２１と、バンド本体１０の他端に設けられた被係止部２７とからなる。そして、係止部２１は、板状の金具から構成されており、バンド本体１０の一端が取り付けられる一端取付部２５と、長手方向がバンド本体１０の幅方向に沿うように且つ一端取付部２５と間隔を隔てるように設けられる棒状の係止片２２と、一端取付部２５と係止片２２との間に設けられて両者を接続する接続部２４とを有する。一方、被係止部２７は、係止片２２が挿入される被係止孔２８を有する。
【００２４】
前記一端取付部２５は、表裏に貫通した取付穴２６を備えており、この取付穴２６にバンド本体１０が挿通されることで、係止部２１がバンド本体１０に取り付けられるようになっている。また、前記係止片２２は、前記被係止孔２８への挿入側先端部に、一端取付部２５側に屈曲した突起部２３を備え、鉤状に形成されており、突起部２３の先端と一端取付部２５との間には隙間が設けられている。尚、前記接続部２４は、係止片２２の付け根部分に設けられてこの付け根部分と一端取付部２５とを接続している。
【００２５】
前記被係止部２７は、バンド本体１０を構成するゴム製バンドの他端３５を一端側に折り返し、折り返した該他端３５を該ゴム製バンドの中間部に止着することによって形成されており、折り返しで形成された、バンド本体１０の幅方向両側に開口する中空部が前記被係止孔２８となっている。前記中空部の軸線は被係止孔２８の軸線に相当し、この軸線はバンド本体１０の幅方向に沿っている。尚、前記中間部とは、前記ゴム製バンドの長手方向における真ん中だけを意味するのではなく、ゴム製バンドの一端と他端の間のことを言う。
【００２６】
そして、この連結部２０では、図２（ａ）に示すように、係止片２２を矢示Ｄ方向から被係止孔２８に挿入した後、図２（ｂ）に示すように、バンド本体１０の他端が相対的に矢示Ｅ方向に移動すると、係止片２２と被係止孔２８とが係合するとともに、被係止孔２８の、係止片２２挿入側とは反対側の開口部と突起部２３とが係合し、これによって、バンド本体１０の両端が連結され、図３に示すように環状となる。
【００２７】
前記長さ調整具３０は、日の字型をした板状の金具から構成されており、表裏に貫通する貫通穴３２ａ，３２ｂが軸部３１の両側に形成された構造を備えている。軸部３１には、バンド本体１０を構成するゴム製バンドの一端３３が巻き掛けられ、この巻き掛けられた該一端３３が該ゴム製バンドの中間部に止着されている。一方、ゴム製バンドの他端３５は、ループ部３４が形成された後、前記軸部３１を跨ぐように前記貫通穴３２ａ，３２ｂに順次挿通され、該長さ調整具３０がバンド本体１０の中間部に位置している。尚、この長さ調整具３０は、バンド本体１０の長手方向にスライド移動自在となっている。また、このループ部３４に前記係止部２１が設けられている。
【００２８】
前記装飾体４０には、その背面に、該装飾体４０をバンド本体１０に着脱自在に装着するための装着具４１が設けられている。この装着具４１は、Ｓ字型をした板状の金具から構成されており、両端には中心に向かうように屈曲された突起部４２が形成されている。尚、装着具４１は、図５に示すように、該装着具４１の両端側と装飾体４０との間にバンド本体１０を通すことが可能に装飾体４０に取り付けられている。また、装飾体４０がバンド本体１０に装着された際、同図５に示すように、突起部４２がバンド本体１０と係合し、これによって、装飾体４０が離脱するのが防止される。
【００２９】
以上のように構成された第１実施形態の靴バンド１によれば、バンド本体１０の一端に設けられた係止部２１と、バンド本体１０の他端に設けられた被係止部２７とが足の甲側にくるように配置し、履いた靴の土踏まず部分の靴底にバンド本体１０の中間部が当接するように配置した後、バンド本体１０をその長手方向に引っ張って伸ばしながら係止片２２を被係止孔２８に挿入する。そして、バンド本体１０が縮むと、係止片２２と被係止孔２８とが係合し、被係止孔２８の、係止片２２挿入側とは反対側の開口部と突起部２３とが係合して、バンド本体１０の両端が連結される。これにより、図６に示すように、当該靴バンド１が足の甲部分と靴の土踏まず部分とに巻かれ、靴が足に固定される。
【００３０】
斯くして、第１実施形態の靴バンド１によれば、係止片２２を被係止孔２８内に挿入するだけでバンド本体１０の両端を連結することができるので、当該靴バンド１を極めて容易に且つ短時間で装着することができる。しかも、係止片２２の突起部２３と被係止孔２８の開口部との係合関係によって係止片２２が被係止孔２８から抜けることもない。
【００３１】
また、前記靴バンド１では、長さ調整具３０をバンド本体１０の長手方向に沿って図１（ｂ）の矢示Ｂ方向にスライドさせ、ループ部３４を長くすれば、バンド本体１０の長さを短くすることができ、一方、図１（ｂ）の矢示Ｃ方向に長さ調整具３０をスライドさせ、ループ部３４を短くすれば、バンド本体１０の長さを長くすることができるため、このようにしてバンド本体１０の長さを調整することで、誰でも自分に合った径の大きさにして当該靴バンド１を使用することができるし、バンド本体１０の伸縮だけでは対応することができないような厚底の靴のときにも使用することができる。
【００３２】
更に、装飾体４０をバンド本体１０に着脱することができるので、様々な装飾体４０を自由に取り付けることができる。また、装飾体４０とバンド本体１０との組み合わせによって外観に変化を与えることができるため、使用者が自分好みの組み合わせを選択することで、自分だけの靴バンド１を作ることもできる。
【００３３】
また、バンド本体１０を構成するゴム製バンドを折り返して被係止孔２８を形成しているので、被係止部２７（被係止孔２８）を簡単に形成することができるし、被係止部２７として新たに別の部材を採用する必要がなく、この新たな部材の作製にかかる費用や時間を節約することもできる。
【００３４】
（第２実施形態）
図７乃至図９に示すように、第２実施形態の靴バンド２は、バンド本体５０と、バンド本体５０の両端を連結する連結部６０とを備えており、バンド本体５０は、その長手方向に伸縮自在な帯状のゴム製バンド５１と、ゴム製バンド５１を覆うレース状の化粧カバー５２とから構成される。尚、図８及び図９では、バンド本体５０の図示を省略している。
【００３５】
前記連結部６０は、バンド本体５０の一端に設けられた樹脂製の係止部６１と、バンド本体５０の他端に設けられた樹脂製の被係止部７０とからなる。係止部６１は、バンド本体５０の一端が取り付けられる一端取付部６４と、長手方向がバンド本体１０の幅方向に沿うように且つ一端取付部６４と間隔を隔てるように設けられる棒状の係止片６２と、一端取付部６４と係止片６２との間に設けられて両者を接続する接続部６３とを有する。一方、被係止部７０は、バンド本体５０の他端が取り付けられる他端取付部７１と、他端取付部７１に接続され、係止片６２が挿入される被係止孔７４を備えた被係止筒部７３とから構成されている。
【００３６】
前記一端取付部６４は、表裏に貫通した取付穴６５を備えており、この取付穴６５にゴム製バンド５１の一端が挿通されて該ゴム製バンド５１に止着されることで、係止部６１がバンド本体５０に取り付けられる。また、前記接続部６３は、帯状の形状を有し、係止片６２の中間位置に接続されている。
【００３７】
前記他端取付部７１は、表裏に貫通した取付穴７２を備えており、この取付穴７２にゴム製バンド５１の他端が挿通されて該ゴム製バンド５１に止着されることで、被係止部７０がバンド本体５０に取り付けられる。
【００３８】
前記被係止筒部７３は、両端が開口して内部が中空となった筒状の部材から構成されており、この中空部が前記被係止孔７４となっている。尚、被係止筒部７３は、被係止孔７４の軸線がバンド本体５０の幅方向に沿うように設けられている。また、被係止筒部７３には、装飾体７７が固設されている。
【００３９】
また、被係止筒部７３は、前記被係止孔７４の他、被係止筒部７３の外周面であり且つ該靴バンド２が環状とされた際に内側となる外周面、被係止孔７４の内周面及び被係止筒部７３の一端面に開口する、被係止孔７４の軸線と平行なスリット溝７５と、被係止筒部７３の軸線方向中間部の外周面であり且つ他端取付部７１が接続される側とは反対側の外周面、スリット溝７５及び被係止孔７４の内周面に開口する、スリット溝７５に垂直な係合溝７６とを備えている。スリット溝７５は、接続部６３が挿通可能な溝幅を有し、係合溝７６は接続部６３を嵌入可能な溝幅を有する。尚、スリット溝７５は、その長手方向の長さが係合溝７６の、被係止筒部７３の他端面側の内面に達するまで形成されている。
【００４０】
そして、この連結部６０では、図１０（ａ）及び（ｂ）に示すように、係止片６２を矢示Ｋ方向から被係止孔内７４に挿入するとともに、接続部６３をスリット溝７５に挿通し、接続部６３の挿入側の部分をスリット溝７５の長手方向の内面に当接させた後、図１０（ｃ）及び（ｄ）に示すように、係止片６２を中心にしてその軸線回りに矢示Ｍ方向に９０度係止部６１を回転させて接続部６３を係合溝７６に嵌入させると、係止片６２と被係止孔７４とが係合するとともに、接続部６３と係合溝７６とが係合し、これによって、バンド本体５０の両端が連結され、図１１に示すように環状となる。尚、図１０では、バンド本体５０の図示を省略している。
【００４１】
以上のように構成された第２実施形態の靴バンド２によれば、上記靴バンド１と同様、バンド本体５０の一端に設けられた係止部６１と、バンド本体５０の他端に設けられた被係止部７０とが足の甲側にくるように配置し、履いた靴の土踏まず部分の靴底にバンド本体５０の中間部が当接するように配置した後、バンド本体５０をその長手方向に引っ張って伸ばしながら、係止片６２を被係止孔７４に、接続部６３をスリット溝７５に挿入する。この後、係止部６１を回転させて接続部６３を係合溝７６に嵌入させると、係止片６２と被係止孔７４とが係合するとともに、接続部６３と係合溝７６とが係合して、バンド本体５０の両端が連結される。これにより、当該靴バンド２が足の甲部分と靴の土踏まず部分とに巻かれ、靴が足に固定される。したがって、この靴バンド２においても、上記靴バンド１と同様の効果を得ることができる。
【００４２】
以上、本考案の実施形態について説明したが、本考案の採り得る具体的な態様は、何らこれに限定されるものではない。
【符号の説明】
【００４３】
１    靴バンド
１０  バンド本体
２０  連結部
２１  係止部
２２  係止片
２４  接続部
２５  一端取付部
２７  被係止部
２８  被係止孔
３０  長さ調整具
４０  装飾体
４１  装着具
【図１】
0003163096.tif 000003
【図２】
0003163096.tif 000004
【図３】
0003163096.tif 000005
【図４】
0003163096.tif 000006
【図５】
0003163096.tif 000007
【図６】
0003163096.tif 000008
【図７】
0003163096.tif 000009
【図８】
0003163096.tif 000010
【図９】
0003163096.tif 000011
【図１０】
0003163096.tif 000012
【図１１】
0003163096.tif 000013